(57)【特許請求の範囲】
【請求項１】
ディスプレイ装置の背面に、移動可能に配置された移動台と、
ディスクの挿入方向が前記ディスプレイ装置の背面とほぼ平行な状態で、前記移動台に回転可能に取り付けられたディスク装置と、を備え、
前記移動台は、
台本体と、
前記台本体上に回転可能に設けられ、前記ディスク装置が取り付けられた回転テーブルと、
前記ディスク装置のディスク挿入口が前記ディスプレイ装置の上端または側端に向いた状態で前記回転テーブルを位置決めする回転テーブル固定手段と、から構成されていることを特徴とするディスク装置付きディスプレイ装置。
【請求項２】
前記回転テーブル固定手段は、クリックストップ機構であることを特徴とする請求項１記載のディスク装置付きディスプレイ装置。
【請求項３】
ディスプレイ装置の背面に、移動可能に配置された移動台と、
ディスクの挿入方向が前記ディスプレイ装置の背面とほぼ平行な状態で、前記移動台に回転可能に取り付けられたディスク装置と、
前記移動台の両側に配置され、前記移動台の移動をガイドする一対のレールと、
所定の移動位置で、前記移動台を固定するための移動台固定手段と、を備えたことを特徴とするディスク装置付きディスプレイ装置。
【請求項４】
前記移動台固定手段は、
前記一対のレールに形成された複数の位置決め孔と、
前記移動台の両側に設けられ、前記位置決め孔に出没自在に嵌入して、前記移動台を前記レールに固定する複数の突起と、から構成されていることを特徴とする請求項３記載のディスク装置付きディスプレイ装置。
【請求項５】
ディスプレイ装置の背面に、移動可能に配置された移動台と、
ディスクの挿入方向が前記ディスプレイ装置の背面とほぼ平行な状態で、前記移動台に回転可能に取り付けられたディスク装置と、
一端が前記ディスプレイ装置の背面に回転可能に取り付けられ、他端に前記移動台が取り付けられた回転アームと、
所定の回転位置で前記回転アームを固定するための回転アーム固定手段と、を備えたことを特徴とするディスク装置付きディスプレイ装置。
【発明の詳細な説明】
【技術分野】
【０００１】
本発明は、ディスク装置付きディスプレイ装置に関するものである。
【背景技術】
【０００２】
液晶ディスプレイ装置、プラズマディスプレイ装置、有機ＥＬディスプレイ装置などのフラットパネルタイプのディスプレイ装置は、全体が薄いパネル状をしている。このフラットパネルタイプのディスプレイ装置は、設置場所を取らないという利点の他に、高画質の画像を表示することができるという点から、ＣＲＴディスプレイ装置に代わって広く普及しつつある。
【０００３】
特許文献１では、フラットパネルタイプのディスプレイ装置にＤＶＤプレイヤ等のディスク装置を取り付けたディスク装置付きディスプレイ装置が提案されている。フラットパネルタイプのディスプレイ装置は、その厚みがディスク装置の奥行き長さよりも薄い。このため、ディスプレイ装置の前方からディスクを挿入するように、ディスク装置をディスプレイ装置に取り付けると、ディスプレイ装置の背面からディスク装置が突出することになり、ディスク装置付きディスプレイ装置自体が厚くなってしまうという問題があった。そこで、特許文献２では、ディスプレイ装置の背面に、ディスク装置（ディスクプレイヤ）を取り付け、ディスクを背面と平行にディスク装置に挿入する映像機器が提案されている。
【０００４】
また、特許文献３には、ディスプレイ装置の背面に、ディスク挿入口が上向きとなるようにディスク装置を取り付け、ディスク挿入口を、移動自在なベルトで開閉することによって、ディスク装置内に塵粉が入らないようにしたディスプレイ装置が提案されている。
【特許文献１】特開平１１−２２０６７９号公報
【特許文献２】特開平７−２３３１１号公報
【特許文献３】特開２００６−３３１４９２号公報
【発明の開示】
【発明が解決しようとする課題】
【０００５】
しかしながら、特許文献２及び３では、ディスクの挿入方向が、上方から下方に向けての１方向に固定されている。ディスプレイ装置を設置する場所は、ユーザによって異なるものであり、上下に板が設けられたラック等の中に設置した場合には、ディスプレイ装置の上方に、ディスクを挿入するためのスペースを確保することができないため、ディスクを挿入することができないという問題があった。また、ディスプレイ装置の横から左方向または右方向にディスクを挿入するようにディスク装置を設けた場合にも、その挿入方向は１方向に固定されているため、ディスプレイ装置の横に、ディスクを挿入するためのスペースを確保することができない場合には、ディスクを挿入することができない。
【０００６】
本発明は、上記課題を解決するためになされたものであり、ディスプレイ装置の背面で複数方向からディスクを挿入可能なディスク装置付きディスプレイ装置を提供することを目的とする。
【課題を解決するための手段】
【０００７】
上記目的を達成するために、本発明のディスク装置付きディスプレイ装置は、ディスプレイ装置の背面に、移動可能に配置された移動台と、ディスクの挿入方向が前記ディスプレイ装置の背面とほぼ平行な状態で、前記移動台に回転可能に取り付けられたディスク装置と、を備え、前記移動台は、台本体と、前記台本体上に回転可能に設けられ、前記ディスク装置が取り付けられた回転テーブルと、前記ディスク装置のディスク挿入口が前記ディスプレイ装置の上端または側端に向いた状態で前記回転テーブルを位置決めする回転テーブル固定手段と、から構成されていることを特徴とする。なお、前記ディスク装置としては、ＣＤドライブ装置、ＤＶＤドライブ装置、ＣＤプレイヤ、ＤＶＤプレイヤ等が挙げられる。
【０００９】
さらに、前記回転テーブル固定手段は、クリックストップ機構であることが好ましい。
【００１０】
また、本発明のディスク装置付きディスプレイ装置は、ディスプレイ装置の背面に、移動可能に配置された移動台と、ディスクの挿入方向が前記ディスプレイ装置の背面とほぼ平行な状態で、前記移動台に回転可能に取り付けられたディスク装置と、前記移動台の両側に配置され、前記移動台の移動をガイドする一対のレールと、所定の移動位置で、前記移動台を固定するための移動台固定手段と、を備えたことを特徴とする。
【００１１】
さらに、前記移動台固定手段は、前記一対のレールに形成された複数の位置決め孔と、前記移動台の両側に設けられ、前記位置決め孔に出没自在に嵌入して、前記移動台を前記レールに固定する複数の突起と、から構成されていることが好ましい。
【００１２】
また、本発明のディスク装置付きディスプレイ装置は、ディスプレイ装置の背面に、移動可能に配置された移動台と、ディスクの挿入方向が前記ディスプレイ装置の背面とほぼ平行な状態で、前記移動台に回転可能に取り付けられたディスク装置と、一端が前記ディスプレイ装置の背面に回転可能に取り付けられ、他端に前記移動台が取り付けられた回転アームと、所定の回転位置で前記回転アームを固定するための回転アーム固定手段と、を備えたことを特徴とする。
【発明の効果】
【００１４】
本発明によれば、ディスク装置がディスプレイ装置の背面で回転するから、ディスプレイ装置の設置場所に合わせて、ディスクの挿入方向を変更することができる。また、ディスク装置は、回転及び移動することができるから、ディスプレイ装置の上方または左右側方に密接するラック板等の部材がある場合にも、ディスク装置を回転及び移動して、ディスク挿入口の向きを変えることにより、ディスクを挿入することができるようになり、設置場所を問わないディスク装置付きディスプレイ装置を提供することができる。
【００１５】
また、回転可能に設けられた回転テーブルにディスク装置を取り付け、ディスク挿入口がディスプレイ装置の上端または側端に向いた状態で回転テーブルを位置決めするから、ディスク挿入口の向きを、所望する向きで固定することができる。
【発明を実施するための最良の形態】
【００１６】
［第１実施形態］
図１及び図２に示すように、ディスク装置付きディスプレイ装置２は、ディスプレイ装置３と、スロットインタイプのディスク装置４とを備える。ディスプレイ装置３は、ディスプレイ本体３ａと脚部３ｂとを備え、ディスプレイ本体３ａの画面３ｃには、放送用画像の他に、ディスク装置４で再生して得られた画像が表示される。ディスプレイ本体３ａは、その厚みが、ディスク装置４の奥行き長さ（ディスク挿入口を前面としたときの前面から後面までの長さ）よりも薄い。
【００１７】
ディスク装置４は、ケース６の前面（図１における上面）に、ディスク５を挿入するためのディスク挿入口７ａが形成されたフロントカバー７が取り付けられている。ディスク挿入口７ａにディスク５を挿入すると、ローディング機構により、ディスク５がケース６の内部に自動的にローディング（搬入）される。ディスク装置４は、周知のように、ディスク５を回転させるスピンドルモータと、回転中のディスク５から情報を読み取る光ピックアップとを有する。
【００１８】
フロントカバー７には、ケース６の内部に格納されたディスク５をイジェクトするためのイジェクトボタン８が設けられている。イジェクトボタン８を押圧すると、ディスク５はローディング機構によりフロントカバー７の前側に排出される。ディスク装置４でディスク５を再生すると、ディスプレイ本体３ａの画面３ｃに再生画像が表示される。ディスク装置４として、ノートパソコン等に内蔵する薄型のものを用いる場合には、ケース６の表面に多数の孔が形成されているが、この場合には、化粧板（図示せず）によりケース６の表面を覆うことにより、ケース６の内部へのゴミの侵入を防ぐことができる。
【００１９】
ディスプレイ本体３ａの背面３ｄからは、ディスプレイ装置３に接続された接続ワイヤ９が引き出されており、接続ワイヤ９の先端に取り付けたプラグを、ケース６の後面（図１における下面）に設けたコネクタに接続することにより、ディスプレイ装置３とディスク装置４とが接続される。ディスク装置４で再生されたディスク５の再生画像は、接続ワイヤ９を介してディスプレイ装置３に送られ、画面３ｃに表示される。ディスプレイ装置３の制御部とディスク装置４との接続を、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）方式で行うことにより、最長２ｍの接続ワイヤ９を用いることができる。
【００２０】
ディスプレイ本体３ａの背面３ｄには、内レール１１と外レール１２とが、ディスプレイ本体３ａの上面及び左右側面に沿って、略コ字状に配置されている。内レール１１及び外レール１２は、ディスク装置４が取り付けられた移動台１０（図３及び図５参照）の移動をガイドする。各レール１１，１２は、移動台１０の上下方向及び左右方向の位置決めを行う上側板部１１ａ，１２ａ、左側板部１１ｂ，１２ｂ及び右側板部１１ｃ，１２ｃと、移動台１０の前後方向の位置決めを行う天板部１１ｄ，１２ｄとを備えている。各側板部１１ａ〜１１ｃ及び各側板部１２ａ〜１２ｃには、移動台１０を位置決めするための位置決め孔１１ｅ，１２ｅが、所定のピッチで複数形成されている。なお、移動台１０の移動経路は適宜変更可能であり、形状の異なった各レール１１，１２を用いることにより、移動台１０の移動経路を変えることができる。
【００２１】
ディスク装置４は、図１に示すように、ディスク挿入口７ａがディスプレイ装置３の上端に向いた状態と、図２に示すように、ディスク挿入口７ａがディスプレイ装置３の右側端に向いた状態と、図２に示す状態から１８０°回転されてディスク挿入口７ａが左側端に向いた状態とに変わるように、回転可能に移動台１０に取り付けられている。
【００２２】
図３及び図４に示すように、移動台１０は、台本体１０ａと、回転テーブル１３とを備えている。台本体１０ａには、回転テーブル１３を回転自在に支持する支持部１０ｂが形成されており、支持部１０ｂには、挿入部１３ｄが挿入される挿入孔１０ｃが形成されている。移動台１０には、回転テーブル１３の回転位置を規制するため、クリックストップ機構１４が設けられている。このクリックストップ機構１４は、台本体１０ａの後面（図４における左面）に形成されたクリック凹部１０ｄと、回転テーブル１３に形成されたクリック凸部１３ａとから構成されている。クリック凸部１３ａをクリック凹部１０ｄに嵌入させると、回転テーブル１３は、その位置で固定される。クリック凹部１０ｄは、９０°ピッチで４個形成されている。
【００２３】
回転テーブル１３には、ディスク装置４のケース６が取り付けられる取付部１３ｂと、弾性変形するクリック片１３ｃと、挿入孔１０ｃに挿入される挿入部１３ｄとが形成されている。クリック凸部１３ａは、クリック片１３ｃに１８０°ピッチで２個形成されている。回転テーブル１３を構成する素材としては、樹脂や金属等が挙げられるが、いずれの場合にも、弾性変形可能な素材により構成されている。なお、クリック凸部１３ａの個数は、適宜変更可能である。
【００２４】
取付部１３ｂには、ビス挿通孔１３ｅが２個形成されており、ビス１５を、ビス挿通孔１３ｅを介して、ケース６に形成されたビス締め孔（図示せず）にビス締めすると、ディスク装置４は、回転テーブル１３に固定される。
【００２５】
挿入部１３ｄには、ビス締め孔１３ｆが形成されている。回転テーブル１３を、台本体１０ａに取り付けるときには、挿入部１３ｄを挿入孔１０ｃに挿入し、ビス１６をビス締め孔１３ｆにビス締めする。挿入部１３ｄは、挿入孔１０ｃに挿入したときに、支持部１０ｂの前面（図３における右面）から突出長さＬ１だけ突出するような長さで形成されており、突出長さＬ１だけ突出することにより、回転テーブル１３を、台本体１０ａに回転可能に取り付けることができる。なお、図３においては、上記突出することを明確に図示するために、突出長さＬ１を長くして図示したが、実際は僅かに突出していればよい。
【００２６】
固定された回転テーブル１３を強い力で回転させると、図５に示すように、クリック片１３ｃは変形し、クリック凸部１３ａがクリック凹部１０ｄから抜け出して固定が解除される。クリック凸部１３ａがクリック凹部１０ｄに対向する位置まで回転テーブル１３を回転させると、クリック片１３ｃは元の形状に戻り（弾性変形）、クリック凸部１３ａがクリック凹部１０ｄに嵌入される。なお、クリック凹部１０ｄを形成するピッチは、適宜変更可能であり、クリック凹部１０ｄを細かいピッチ（例えば、１０°）で形成することにより、回転テーブル１３を１０°毎に固定することができる。
【００２７】
回転テーブル１３の固定を解除するためには、比較的に大きな力が必要であり、通常使用時には、ディスプレイ装置３やディスク装置４に振動が加わっても固定が解除されることはない。
【００２８】
台本体１０ａには、ラッチ棒（突起）１７が移動自在に取り付けられており、台本体１０ａの内部には、ラッチ棒１７を移動台１０の上下左右の側面から突出させる方向に付勢するコイルバネ１８が取り付けられている。図６に示すように、ラッチ棒１７は、上下左右の各側面に２個ずつの計８個取り付けられており、それに伴い、コイルバネ１８も８個取り付けられている。また、台本体１０ａの四隅に形成された位置決め部１０ｅが、各レール１１，１２に当接することにより、台本体１０ａは、上下方向及び左右方向が位置決めされる。
【００２９】
図６（Ａ）に示すように、移動台１０を内レール１１と外レール１２との間にセットし、下側の２個のラッチ棒１７を位置決め孔１１ｅに、上側の２個のラッチ棒１７を位置決め孔１２ｅに合わせると、ラッチ棒１７は、コイルバネ１８により、各位置決め孔１１ｅ，１２ｅに嵌入され、移動台１０が各レール１１，１２に固定される。この固定した状態から、図６（Ｂ）に示すように、移動台１０を強く押すと、４個のラッチ棒１７は、各レール１１，１２の各位置決め孔１１ｅ，１２ｅにより形成された壁面に当接するから、コイルバネ１８の付勢に抗して、図６（Ｃ）に示すように、各位置決め孔１１ｅ，１２ｅから抜け出て、移動台１０が移動可能となる。
【００３０】
移動台１０の固定を解除するためには、比較的に大きな力が必要であり、通常使用時には、ディスプレイ装置３やディスク装置４に振動が加わっても固定が解除されることはない。また、移動台１０が、背面３ｄにおける上側の角に位置するときには、左右側のどちらか一方のラッチ棒１７と、上側のラッチ棒１７とが、位置決め孔１２ｅに嵌入された状態となる。この場合にも、通常使用時には、固定が解除されることはない。
【００３１】
移動台１０を移動させることにより、移動台１０に取り付けられたディスク装置４を、背面３ｄにおける上側、左側及び右側に移動して固定することができる。また、各位置決め孔１１ｅ，１２ｅを形成する上記所定のピッチは、適宜変更可能であり、上記所定のピッチを細かく設定することにより、ディスク装置４を位置決め固定する位置を細かく設定することができるようになる。
【００３２】
次に、ディスク装置付きディスプレイ装置２の作用について説明する。ディスク装置付きディスプレイ装置２が設置される場所によっては、上方や側方にディスク５を交換するためのスペースを確保することができないことがある。例えば、ディスプレイ装置３の図１における上方及び左方にスペースがない場合には、図１に示す位置にディスク装置４を配設すると、ディスク５を交換することができない。この場合には、ディスク装置４を、図２に示すように、背面３ｄにおける右側に位置するように移動させ、所望する位置で固定する。そして、ディスク挿入口７ａが右側端に向くように、ディスク装置４を回転させて固定する。
【００３３】
［第２実施形態］
図７及び図８に第２の実施形態を示す。上記第１実施形態のものと同様の構成部材には同一の符号を付し、その詳細な説明を簡略化する。この実施形態では、ディスプレイ本体３ａの背面３ｄには、回転アーム２０が回転可能に設けられている。回転アーム２０は、背面３ｄに立設された軸部３ｅに、回転部２０ａが回転可能に取り付けられており、回転部２０ａを中心にしてアーム部２０ｂが背面３ｄ上で回転する。アーム部２０ｂの先端には、台本体３０ａが取り付けられている。なお、図７及び図８においては、台本体３０ａを実線で示し、台本体３０ａの後方に位置するケース６及び回転テーブル１３を２点鎖線で示している。
【００３４】
背面３ｄには、位置決め孔２１ａが形成された右固定板２１と、位置決め孔２２ａが形成された上固定板２２と、位置決め孔２３ａが形成された左固定板２３とが取り付けられている。各固定板２１〜２３は、台本体３０ａを固定する。各位置決め孔２１ａ〜２３ａは、２個形成されている。
【００３５】
移動台３０は、台本体３０ａと、回転テーブル１３とを備えている。回転テーブル１３は、第１実施形態と同様の取付構造により、台本体３０ａに回転可能に取り付けられている。移動台３０には、回転テーブル１３の回転位置を規制するため、クリックストップ機構３１が設けられている。このクリックストップ機構３１は、台本体３０ａに形成された右クリック凹部３０ｂ、上クリック凹部３０ｃ及び左クリック凹部３０ｄと、回転テーブル１３のクリック凸部１３ａとから構成されている。なお、アーム部２０ｂと台本体３０ａとを一体的に形成してもよい。
【００３６】
台本体３０ａには、２個のラッチ棒１７が、第１実施形態と同様の取付構造で取り付けられている。各位置決め孔２１ａ〜２３ａに、ラッチ棒１７が嵌入されると、台本体３０ａは固定され、回転アーム２０も固定される。この固定した状態から、アーム部２０ｂを強い力で回転させると、ラッチ棒１７が各位置決め孔２１ａ〜２３ａから抜け出て、固定が解除される。本実施形態では、所定の回転位置で回転アーム２０を固定するための回転アーム固定手段は、ラッチ棒１７と、各位置決め孔２１ａ〜２３ａとから構成されている。
【００３７】
図７（Ａ）に示すように、台本体３０ａが右固定板２１に固定され、クリック凸部１３ａが右クリック凹部３０ｂに嵌入されているときには、ディスク装置４は、ディスク挿入口７ａが右側端に向いた状態で固定される。この状態から、アーム部２０ｂを回転させ、図７（Ｂ）に示すように、台本体３０ａを上固定板２２に固定させると、ディスク挿入口７ａが右斜め上方に向いた状態となる。この状態では、ディスク５をディスク挿入口７ａに挿入しにくい。この場合には、回転テーブル１３をＡ方向に回転させて、クリック凸部１３ａを上クリック凹部３０ｃに嵌入させ、図８（Ａ）に示すように、ディスク装置４を、ディスク挿入口７ａが上端に向いた状態で固定する。
【００３８】
同様にして、図８（Ｂ）に示すように、アーム部２０ｂを回転させ、台本体３０ａを左固定板２３に固定した場合には、クリック凸部１３ａを左クリック凹部３０ｄに嵌入させ、ディスク装置４を、ディスク挿入口７ａが左側端に向いた状態で固定する。
【００３９】
なお、第１，第２実施形態では、スロットインタイプのディスク装置４を用いて本発明を実施したが、ディスクトレイタイプのディスク装置の場合にも、本発明は実施可能である。
【００４０】
また、移動台１０，３０及び回転テーブル１３の固定方法は、第１，第２実施形態の方法に限らず、適宜変更可能である。
【００４１】
さらに、第１，第２実施形態では、回転テーブル１３が台本体１０ａ，３０ａに回転可能に取り付けられているが、回転テーブル１３を設けずに、ディスク装置４を、台本体１０ａ，３０ａに回転可能に取り付けるようにしてもよい。
【００４２】
また、第１，第２実施形態では、ディスク装置４が背面３ｄで回転及び移動可能に設けられているが、ディスク装置４は、少なくとも背面３ｄで回転可能に設けられていればよい。
【００４３】
さらに、ディスク装置４を背面３ｄで回転のみ可能に設け、ディスク５をディスク挿入口７ａまで搬送するディスク搬送機構（例えば、モータにより移動するディスクトレイ等）を設けるようにしてもよい。例えば、ディスク装置４を、背面３ｄの中心部に設けた場合には、ディスク装置４の上方、左方及び右方に、ディスク搬送機構を設ける。ディスク装置４を回転させ、ディスク挿入口７ａを上端に向けた場合には、上方に設けたディスク搬送機構にディスク５をセットして、ディスク挿入口７ａに挿入する。同様に、ディスク挿入口７ａを左側端に向けた場合には、左方に設けたディスク搬送機構にディスク５をセットし、ディスク挿入口７ａを右側端に向けた場合には、右方に設けたディスク搬送機構にディスク５をセットする。これにより、ディスク装置４を、回転のみ可能に設けた場合にも、３方向（上方、左方及び右方）から容易にディスク５を挿入することができる。また、上記ディスク搬送機構を、ディスク装置４で再生していないディスク５を保管する保管庫として用いるようにしてもよい。
【００４４】
また、移動台１０，３０の代わりに、ディスク装置４が取り出し可能に挿入されるポケットを、背面３ｄの複数の位置に設け、ディスク装置４を、所望のポケットに収容することにより、ディスク装置４の位置を変えてもよい。さらに、ポケットを回転可能にすることにより、ディスク挿入口７ａを所望の方向に向けることができる。なお、ディスク装置４を収容していないポケットには、ダミー部材を挿入しておくことにより、ポケットへのゴミの侵入を防ぐことができる。
【００４５】
さらに、ディスク装置４を着脱自在に取り付けることができる取付部を、背面３ｄの複数の位置に設け、ディスク装置４を複数の取付部のうちのいずれに取り付けるかにより、背面３ｄにおけるディスク装置４の位置を変えるようにしてもよい。さらに、取付部を、ディスク挿入口７ａの向きを変えてディスク装置４が取付可能となるように設けることにより、ディスク装置４を所望の方向に向けることができる。
【００４６】
さらに、第２実施形態では、回転部２０ａから、各固定板２１〜２３までの長さを同一としたが、各固定板２１〜２３を、回転部２０ａからの長さが異なるように配してもよく、この場合には、アーム部２０ｂを伸縮可能に設けるとともに、アーム部２０ｂを伸長する方向にバネで付勢することにより、台本体３０ａを固定することができる。また、アーム部２０ｂを付勢しない場合にも、各固定板２１〜２３を、台本体３０ａを挟み込むように２個ずつ設けることにより、台本体３０ａを固定することができる。
【００４７】
また、第２実施形態では、台本体３０ａを介して回転アーム２０を間接的に固定しているが、回転アーム２０自体を直接、固定するようにしてもよく、その固定方法も適宜変更可能である。
【図面の簡単な説明】
【００４８】
【図１】本発明を実施したディスク装置付きディスプレイ装置の背面斜視図である。
【図２】ディスク装置を図１の位置から移動及び回転させた状態を示すディスク装置付きディスプレイ装置の背面斜視図である。
【図３】ディスク装置付きディスプレイ装置の側面断面図である。
【図４】台本体と回転テーブルとを分解して示した斜視図である。
【図５】回転テーブルの固定が解除された状態を示す移動台の側面断面図である。
【図６】移動台と内レールと外レールとを示す背面図である。
【図７】回転アームを設けた実施形態のディスク装置付きディスプレイ装置の背面図である。
【図８】図７に示す実施形態のディスク装置を上側及び左側に固定した状態を示すディスク装置付きディスプレイ装置の背面図である。
【符号の説明】
【００４９】
２  ディスク装置付きディスプレイ装置
３  ディスプレイ装置
３ｄ  背面
４  ディスク装置
５  ディスク
６  ケース
７  フロントカバー
７ａ  ディスク挿入口
１０，３０  移動台
１０ａ，３０ａ  台本体
１０ｄ  クリック凹部
１１  内レール
１１ｅ，１２ｅ  位置決め孔
１２  外レール
１３  回転テーブル
１３ａ  クリック凸部
１３ｃ  クリック片
１４，３１  クリックストップ機構
１７  ラッチ棒（突起）
２０  回転アーム
３０ｂ  右クリック凹部
３０ｃ  上クリック凹部
３０ｄ  左クリック凹部
【図１】
0005110274.tif 000002
【図２】
0005110274.tif 000003
【図３】
0005110274.tif 000004
【図４】
0005110274.tif 000005
【図５】
0005110274.tif 000006
【図６】
0005110274.tif 000007
【図７】
0005110274.tif 000008
【図８】
0005110274.tif 000009